(57)【要約】【課題】マイナスイオンの発生量がきわめて大きく、健康に寄与するだけの充分な効果を得ることができ、装身具としても実用に耐えることができるようにしたものである。【解決手段】金、銀、プラチナおよびこれらの合金からなる貴金属素材１００重量％に対し、ゼオライト粉末を０．１〜約５重量％混合し、加熱溶融して得たことを特徴とする装身具用地金。【選択図】      図１
2005111032.tif 000002
【特許請求の範囲】
【請求項１】
金、銀、プラチナおよびこれらの合金からなる貴金属素材１００重量％に対し、ゼオライト粉末を０．１〜約５重量％混合し、加熱溶融して得たことを特徴とする装身具用地金。
【請求項２】
ゼオライト粉末が、ジャポライト粉末である請求項１に記載の装身具用地金。
【発明の詳細な説明】
【技術分野】
【０００１】
この発明は、ネックレスやブレスレット、その他のアクセサリー類や、携帯電話のストラップ等の身の回り品等に使用される装身具用地金に関し、ゼオライト粉末等を配合してマイナスイオンが充分に発生するようにした装身具用地金を提供しようとするものである。
【背景技術】
【０００２】
近年、マイナスイオンの治療的効果が注目されており、例えば、マイナスイオンが沈静的な作用を持ち、沈痛、快眠、鎮咳、制汗、食欲増進、血圧降下、爽快感、疲労防止等の効果を有することが報告されている。さらにマイナスイオンは、抗菌、防臭等効果を有することも知られている。しかしながら、マイナスイオンが治療やその他の効果を有するとしても、マイナスイオン発生装置あるいは機器自体が高価であり、一部の病院等において用いられているのみで一般に広く普及されるには至っていない。
【０００３】
一方、電気石と称されるトルマリンは、極性結晶体であり、電場中に置かれなくても電気分極を生じており、自然界に存在するマイナスイオンがトルマリン鉱石のプラス電極に吸い付けられ、絶えず、マイナス電極からプラス電極に向けて電子が流れ、マイナス電極からマイナス電子が放出されることが知られている。このような現象に着目して、トルマリン粉末を繊維にコーティングしたりあるいは繊維に織込み、練り込みなどをして、下着類、サポーター等として利用することが試みられている。さらに、化粧品素材などにも練り込むことによって、美顔化粧品としての利用も図られている。しかしながら、トルマリンのマイナスイオンの発生量は、きわめて微弱であり、充分な効果が得られていないのが現状である。
【０００４】
また、たとえば特開平７−１４９９５６号公報（特許文献１参照）には、トルマリンの粉末を担持したゴム組成物とその製造方法において、弾性耐磨耗性、耐老化性等の優れた性質を持ち、トルマリン担持物が各種洗浄用具等の接水反応材のほか、電極力値を均一にかつ高め得るとしているが、該トルマリンのマイナスイオンについての記載はない。さらに、トルマリンを担持せしめマイナスイオンの発生による治癒効果、疲労回復、脱臭効果等では、目的別に応じ即効性のみならず、さらにその持続性が要求される場合がある。
【０００５】
このため、たとえば特開平１０−１６８２２６号公報（特許文献２参照）においては、ゲル状弾性体にトルマリンを配合し熱成形して得られる弾性体が、マイナスイオンの発生量が増加して、各種の用途に有効に利用し得ることにつき提案している。しかしながら、上記により得られた弾性体ではマイナスイオンの発生量はきわめて微弱であり、健康に寄与するだけの充分な効果が得られないという問題があり、その解決が望まれている。
【特許文献１】特開平７−１４９９５６号公報
【特許文献２】特開平１０−１６８２２６号公報
【発明の開示】
【発明が解決しようとする課題】
【０００６】
しかしながら上記従来のトルマリンを用いた装身具や装身具用地金においては、どのような配合や加工を施しても、マイナスイオンの発生量はきわめて微弱であり、健康に寄与するだけの充分な効果が得られないという欠点があった。
【０００７】
この発明の装身具用地金は、従来例の上記欠点を解消しようとするもので、マイナスイオンの発生量がきわめて大きく、健康に寄与するだけの充分な効果を得ることができ、装身具としても実用に耐えることができるようにしたものである。
【課題を解決するための手段】
【０００８】
この発明の装身具用地金は、金、銀、プラチナおよびこれらの合金からなる貴金属素材１００重量％に対し、ゼオライト粉末を０．１〜約５重量％混合し、加熱溶融して得たことを特徴とするものである。
【０００９】
またこの発明の装身具用地金は、ゼオライト粉末が、ジャポライト粉末であることをも特徴とするものである。
【００１０】
上記において、金、銀、プラチナおよびこれらの合金からなる貴金属素材に添加するゼオライト粉末、とりわけジャポライト粉末の比率は、０．１〜５重量％である。５重量％以上の場合は、金、銀、プラチナおよびこれらの合金からなる貴金属素材との親和性が損なわれて強度が低下してしまったり、貴金属素材の色合いがくすんだものとなって商品価値が損なわれてしまう。
【００１１】
また０．１重量％以下の場合は、マイナスイオンの発生量がきわめて微弱であり、健康に寄与するだけの充分な効果が得られず、実用性が損なわれてしまう。
【発明の効果】
【００１２】
この発明の装身具用地金によれば、マイナスイオンの発生による治癒効果、疲労回復、脱臭効果等の効果が得られる。すなわち、抹消血流の改善と副交換神経の活性化により、脳波中の痾波、閘波が増幅され、速やかな疲労回復が行なわれる。
【発明を実施するための最良の形態】
【００１３】
以下、この発明に係る装身具用地金の実施の形態を、図面に基いて詳細に説明する。
図１はこの発明の装身具用地金の１実施例を示し、指輪に適用した場合の斜視図、図２はその断面図、図３はその拡大断面図、また図４はこの発明に係る装身具用地金の他の実施例を示す断面図である。
【００１４】
図１ないし図３において、この発明の装身具用地金１は、金、銀、プラチナおよびこれらの合金からなる貴金属素材２内に、ゼオライト粉末３を低濃度に配合したものである。そして、この発明の装身具用地金１においては、１００重量％の貴金属素材２に対して０．１〜５重量％のゼオライト粉末３を配合することが必要である。
【００１５】
その理由は、金、銀、プラチナおよびこれらの合金からなる貴金属素材２に対しゼオライト粉末３を５重量％以上に配合すると、金、銀、プラチナおよびこれらの合金からなる貴金属素材との親和性が損なわれて強度が低下してしまったり、貴金属素材の色合いがくすんだものとなって商品価値が損なわれてしまうことにある。また、金、銀、プラチナおよびこれらの合金からなる貴金属素材２に対しゼオライト粉末３の使用量が０．１重量％以下の場合にはマイナスイオンの発生量が充分ではなかったのである。
【００１６】
この発明で使用するゼオライト（沸石、結晶性アルミノケイ系酸塩）は、一般的に存在するケイ素、アルミニウム、酸素を主成分とし、その他ナトリウム、マグネシウム、カルシウムなどで構成されている。分子構造中に、特異な孔（スノーホール）をもち、吸着機能，触媒機能，イオン交換機能などをもっている。ゼオライトは、天然に産する天然ゼオライトと工業的に製造される合成ゼオライトがある。天然、合成合わせて百数十種類が知られており、現在も新型ゼオライトの合成研究が世界的に行われている。なおこの発明においては、特にジャポライトと呼ばれるものが好ましい。
表１にジャポライトの成分表を示す。
【表１】
2005111032.tif 000003
【００１７】
また、天然ジャポライト鉱石とトルマリンのマイナスイオン量の比較データを表２に示す。
【表２】
2005111032.tif 000004
【００１８】
ゼオライト粉末の粒径は、０．１・ｍ〜５００・ｍ程度、好ましくは、０．５〜１００・ｍ，より好ましくは、０．５〜１０・ｍで、この範囲の粒径とすることによって表面積が拡大して多量のマイナスイオンを発生させることができる。
【００１９】
上記においては、この発明の装身具用地金を指輪に適用した場合について説明したが、ネックレスやブレスレット、アンクレット（足首用）、あるいはその他の紐状で使用される種々のアクセサリーのみならず、携帯電話のストラップ等の身の回り品等に適用可能であることはいうまでもない。
【００２０】
また上記実施例では、この発明の装身具用地金１をほぼ矩形断面に形成した例について説明したが、図４に示したように装身具用地金１１を円形断面の紐状に形成してもよく、もちろんその他の断面形状に形成することは自由に行うことができる。
【産業上の利用可能性】
【００２１】
この発明に係る装身具用地金は、これを用いてネックレスやブレスレット、アンクレット（足首用）等の装身具とすることができる。
また、この装身具用地金を粉末化し、シリコンゴム等に少量（３％）未満、あるいはそれ以上の割合で配合して所定の形状に成形し、例えば紐状としてブレスレット状あるいは指輪状の種々のアクセサリーとしてのみならず、携帯電話のストラップ等の身の回り品等にも適用可能である。
【図面の簡単な説明】
【００２２】
【図１】この発明の装身具用地金の１実施例を示し、指輪に適用した場合の斜視図である。
【図２】その断面図である。
【図３】その拡大断面図である。
【図４】この発明に係る装身具用地金の他の実施例を示す断面図である。
【符号の説明】
【００２３】
１  装身具
２  貴金属素材
３  ゼオライト粉末
１１  装身具用地金
【図１】
2005111032.tif 000005
【図２】
2005111032.tif 000006
【図３】
2005111032.tif 000007
【図４】
2005111032.tif 000008